(57)【特許請求の範囲】
【請求項１】
基板への電子部品の装着に係る部品実装ラインの管理方法において、基板への電子部品の装着に係る種々のソフトウエアを格納する記録媒体がセットされると、この記録媒体に格納されたソフトウエア毎にソフトウエアがライセンスを受けて格納されたソフトウエアであるかを判断して、ソフトウェアのバージョンと既にインストールされて格納したソフトウエアのバージョンとを比較し、そのソフトウエアがライセンスを受けたものでない場合と、ライセンスを受けているがそのソフトウエアのバージョンが同じ場合と、ライセンスを受けていてそのソフトウエアのバージョンが異なる場合とで異なる表示形態で種々のソフトウェア毎にモニタに表示させることを特徴とする部品実装ラインの管理方法。
【請求項２】
基板への電子部品の装着に係る部品実装ラインの管理装置において、インストールされて基板への電子部品の装着に係る種々のソフトウエアを格納する記憶手段と、記録媒体に格納された種々のソフトウエアがライセンスを受けて前記記憶手段に格納されたソフトウエアであるかを判断する判断手段と、インストールされる記録媒体に格納された種々のソフトウエアのバージョンと前記記憶手段に格納されたソフトウエアのバージョンとを比較する比較手段と、前記判断手段によりそのソフトウエアがライセンスを受けたものでないと判断された場合と、ライセンスを受けているが前記比較手段による比較においてバージョンが同じである場合と、ライセンスを受けていて前記比較手段による比較においてバージョンが異なる場合とで異なる表示形態で種々のソフトウェア毎にモニタに表示させるように制御する制御手段とから成ることを特徴とする部品実装ラインの管理装置。
【請求項３】
基板へ電子部品を装着する部品実装装置の管理装置において、インストールされて基板への電子部品の装着に係る種々のソフトウエアを格納する記憶手段と、記録媒体に格納された種々のソフトウエアがライセンスを受けて前記記憶手段に格納されたソフトウエアであるかを判断する判断手段と、インストールされる記録媒体に格納された種々のソフトウエアのバージョンと前記記憶手段に格納されたソフトウエアのバージョンとを比較する比較手段と、前記判断手段によりそのソフトウエアがライセンスを受けたものでないと判断された場合と、ライセンスを受けているが前記比較手段による比較においてバージョンが同じである場合と、ライセンスを受けていて前記比較手段による比較においてバージョンが異なる場合とで異なる表示形態で種々のソフトウェア毎にモニタに表示させるように制御する制御手段とから成ることを特徴とする部品実装装置の管理装置。
【発明の詳細な説明】
【技術分野】
【０００１】
本発明は、プリント基板への電子部品の装着に係る部品実装ラインの管理方法、部品実装ラインの管理装置及び部品実装装置の管理装置に関する。
【背景技術】
【０００２】
プリント基板への電子部品の装着に係る部品実装ラインについては、例えば特許文献１などに開示されているが、この部品実装ラインの管理コンピュータにはプリント基板への電子部品の装着に係る種々のソフトウエアがインストールされているが、このインストール済みのソフトウエアのバージョンを確認するには、各ソフトウエアを起動して確認する必要がある。
【０００３】
また、購入済みのライセンスを受けたソフトウエアの状態は、管理者が購入記録を調べたり、各ソフトウエアを起動して確認する必要がある。
【特許文献１】特開２００３−２５８４９８号公報
【発明の開示】
【発明が解決しようとする課題】
【０００４】
従って、以上の確認を行うためには、各ソフトウエアを起動しなければならず、手間の掛かる作業であって、管理者の負担が大きかった。
【０００５】
そこで本発明は、プリント基板への電子部品の装着に係るソフトウエアのバージョンや、ライセンスの取得状況の確認を、簡単に行えるようにして、管理者の負担の軽減を図ることを目的とする。
【課題を解決するための手段】
【０００７】
このため第１の発明は、基板への電子部品の装着に係る部品実装ラインの管理方法において、基板への電子部品の装着に係る種々のソフトウエアを格納する記録媒体がセットされると、この記録媒体に格納されたソフトウエア毎にソフトウエアがライセンスを受けて格納されたソフトウエアであるかを判断して、ソフトウェアのバージョンと既にインストールされて格納したソフトウエアのバージョンとを比較し、そのソフトウエアがライセンスを受けたものでない場合と、ライセンスを受けているがそのソフトウエアのバージョンが同じ場合と、ライセンスを受けていてそのソフトウエアのバージョンが異なる場合とで異なる表示形態で種々のソフトウェア毎にモニタに表示させることを特徴とする。
【０００９】
第２の本発明は、基板への電子部品の装着に係る部品実装ラインの管理装置において、インストールされて基板への電子部品の装着に係る種々のソフトウエアを格納する記憶手段と、記録媒体に格納された種々のソフトウエアがライセンスを受けて前記記憶手段に格納されたソフトウエアであるかを判断する判断手段と、インストールされる記録媒体に格納された種々のソフトウエアのバージョンと前記記憶手段に格納されたソフトウエアのバージョンとを比較する比較手段と、前記判断手段によりそのソフトウエアがライセンスを受けたものでないと判断された場合と、ライセンスを受けているが前記比較手段による比較においてバージョンが同じである場合と、ライセンスを受けていて前記比較手段による比較においてバージョンが異なる場合とで異なる表示形態で種々のソフトウェア毎にモニタに表示させるように制御する制御手段とから成ることを特徴とする。
【００１０】
第３の発明は、基板へ電子部品を装着する部品実装装置の管理装置において、インストールされて基板への電子部品の装着に係る種々のソフトウエアを格納する記憶手段と、記録媒体に格納された種々のソフトウエアがライセンスを受けて前記記憶手段に格納されたソフトウエアであるかを判断する判断手段と、インストールされる記録媒体に格納された種々のソフトウエアのバージョンと前記記憶手段に格納されたソフトウエアのバージョンとを比較する比較手段と、前記判断手段によりそのソフトウエアがライセンスを受けたものでないと判断された場合と、ライセンスを受けているが前記比較手段による比較においてバージョンが同じである場合と、ライセンスを受けていて前記比較手段による比較においてバージョンが異なる場合とで異なる表示形態で種々のソフトウェア毎にモニタに表示させるように制御する制御手段とから成ることを特徴とする。
【発明の効果】
【００１１】
本発明は、プリント基板への電子部品の装着に係るソフトウエアのバージョンや、ライセンスの取得状況の確認を、モニタでの種々のソフトウェア毎のバージョンやライセンスの取得状況による表示形態の違いにより簡単に行えるようにして、管理者の負担の軽減を図ることができる。
【発明を実施するための最良の形態】
【００１２】
以下、本発明の実施の形態について説明する。１は工場におけるプリント基板を組み立てる基板組立実装ラインで、プリント基板を搬送ラインに供給するローダ２、プリント基板上に半田ペーストを塗布するスクリーン印刷装置３、プリント基板上に接着剤を塗布する接着剤塗布装置４、プリント基板上に電子部品を装着する電子部品装着装置５Ａ、５Ｂ、リフロー炉６及び電子部品が装着されて固定されたプリント基板を搬送ラインから格納するアンローダ７などから構成される。
【００１３】
１０は本管理システムの制御に係るプログラムが格納され表示手段としてのモニタなどの表示装置１０Ａを備えている管理用コンピュータで、通信線１１、信号の振り分けを行うハブ１２及びＬＡＮケーブル１３を介して各基板組立実装ライン１を構成する前記電子部品装着装置５Ａ、５Ｂ等と接続されている。
【００１４】
前記管理コンピュータ１０は、表示装置１０Ａ及び内部にマイクロコンピュータを備え、記憶手段、比較手段、判断手段、制御手段としての機能を果たす。そして、この管理コンピュータ１０と基板組立実装ライン１の各装置、例えば電子部品装着装置５Ａ、５Ｂ等との間で、ハブ１２を介して種々の情報の送信及び受信がなされる。
【００１５】
そして、この管理コンピュータ１０には、プリント基板への電子部品の装着に係る種々のソフトウエアがインストールされて格納されている。この格納されたソフトウエアの中には、ライセンスを取得してインストールされたソフトウエアもあれば、最新のバージョンでないソフトウエアもある。
【００１６】
次に、図２のソフトウエアのインストール動作について、説明する。先ず、プリント基板への電子部品の装着に係る種々のソフトウエアが格納されている記録媒体であるＣＤ（ｃｏｍｐａｃｔ  ｄｉｓｃ）を管理コンピュータ１０のドライブに挿入しセットする。すると、管理コンピュータ１０は自動で、既に格納されているインストール用ソフトウエアを起動する。
【００１７】
そして、初めに管理コンピュータ１０は、予め管理コンピュータ１０に格納されている各ソフトウエア毎のライセンスの取得状況のデータに基づいて前記ＣＤに格納されている各ソフトウエアについて、既にライセンスを取得しているか否かを判断する。例えば、「ＡＢ−２５０システムソフト」という名称のソフトウエアは、電子部品装着装置５Ａ、５Ｂの装着データ、即ちどの電子部品をプリント基板上のどの位置に装着するかのデータ等を作成したり、その装着データを電子部品装着装置５Ａ、５Ｂに送信するためのもので、この「ＡＢ−２５０システムソフト」については、ライセンスの取得が済んでいるので、図３に示す管理用コンピュータ１０の表示装置１０Ａのインストール用画面には、「ＡＢ−２５０システムソフト」というソフトウエアの名称の文字の色彩を、黒色に表示するように制御する。
【００１８】
そして、管理コンピュータ１０は前記「ＡＢ−２５０システムソフト」について、前記ＣＤに格納されたソフトウエアのバージョンとインストール済みのソフトウエアのバージョンとを比較する。そして、前記ＣＤに格納されたソフトウエアのバージョンは「ＮＴ＿０４０６」であり、管理コンピュータ１０のインストール済みのソフトウエアのバージョンは「ＮＴ＿０４０９」であるので、バージョンが異なり、管理コンピュータ１０は「ＡＢ−２５０システムソフト」というソフトウエアの名称の文字の色彩を、黒色に代えて赤色に表示するように制御する。
【００１９】
次の「ＣＡＤ変換」という名称のソフトウエアはプリント基板上の指示位置を前記装着座標データに変換するためのもので、この「ＣＡＤ変換」については、ライセンスの取得が済んでいるので、管理用コンピュータ１０の表示装置１０Ａのインストール用画面には、「ＣＡＤ変換」というソフトウエアの名称の文字の色彩を、黒色に表示するように制御する。
【００２０】
そして、管理コンピュータ１０は前記「ＣＡＤ変換」について、前記ＣＤに格納されたソフトウエアのバージョンとインストール済みのソフトウエアのバージョンとを比較する。そして、前記ＣＤに格納されたソフトウエアのバージョンは「Ｖ．０１３４Ａ」であり、管理コンピュータ１０のインストール済みのソフトウエアのバージョンは「Ｖ．０１３４Ｂ」であるので、バージョンが異なり、管理コンピュータ１０は「ＣＡＤ変換」というソフトウエアの名称の文字の色彩を、黒色に代えて赤色に表示するように制御する。
【００２１】
次の「ＡＡＡ」という名称のソフトウエアも、プリント基板への電子部品の装着に係るソフトウエアであって、この「ＡＡＡ」については、ライセンスの取得が済んでいるので、前記インストール用画面には、「ＡＡＡ」というソフトウエアの名称の文字の色彩を、黒色に表示するように管理コンピュータ１０は制御する。
【００２２】
そして、管理コンピュータ１０は前記「ＡＡＡ」について、前記ＣＤに格納されたソフトウエアのバージョンとインストール済みのソフトウエアのバージョンとを比較し、前記ＣＤに格納されたソフトウエアのバージョンは「Ｖ．０４０７」であり、管理コンピュータ１０のインストール済みのソフトウエアのバージョンも「Ｖ．０４０７」であるので、バージョンが同じであり、管理コンピュータ１０は「ＡＡＡ」というソフトウエアの名称の文字の色彩を、黒色のままで表示するように制御する。
【００２３】
次の「ＢＢＢ」という名称のソフトウエアも、プリント基板への電子部品の装着に係るソフトウエアであって、この「ＢＢＢ」については、ライセンスの取得が済んでいるので、前記インストール用画面には、「ＢＢＢ」というソフトウエアの名称の文字の色彩を、黒色に表示するように管理コンピュータ１０は制御する。
【００２４】
そして、管理コンピュータ１０は前記「ＢＢＢ」について、前記ＣＤに格納されたソフトウエアのバージョンとインストール済みのソフトウエアのバージョンとを比較し、前記ＣＤに格納されたソフトウエアのバージョンは「Ｖ．０５１０」であり、管理コンピュータ１０のインストール済みのソフトウエアのバージョンも「Ｖ．０５１０」であるので、バージョンが同じであり、管理コンピュータ１０は「ＢＢＢ」というソフトウエアの名称の文字の色彩を、黒色のままで表示するように制御する。
【００２５】
前記ＣＤに格納された最後の「ＣＣＣ」という名称のソフトウエアも、プリント基板への電子部品の装着に係るソフトウエアであって、この「ＣＣＣ」については、ライセンスの取得が済んでいないので、前記インストール用画面には、「ＣＣＣ」というソフトウエアの名称の文字の色彩を、グレーに表示するように管理コンピュータ１０は制御する。
【００２６】
以上のように、管理用コンピュータ１０の表示装置１０Ａのインストール用画面において、各ソフトウエアの名称が色分け表示される。従って、管理者は管理コンピュータ１０がＣＤに格納されたソフトウエアとインストール済みのソフトウエアのバージョンとが同じであるか否かや、ＣＤに格納されたソフトウエアについてライセンスを受けてインストール済みのソフトウエアであるか否かの確認を一目瞭然に行うことができる。このため、各ソフトウエアを起動してバージョンを確認したり、購入記録を調べたりする必要がなくなる。
【００２７】
この確認の後、図３に示すように、必要なソフトウエアについて、最左の数字の箇所を押圧して、インストールすべき新しいバージョンのソフトウエアやライセンスを受けたいソフトウエアを指示し、次いで画面上で「インストール」と表示された表示部２０をマウスを用いてクリックすると、管理コンピュータ１０はインストールを開始する。このようにして、順次インストールを行い管理コンピュータ１０内に格納される。この必要なソフトウエアのインストールを終了する場合には、「終了」と表示された表示部２１をマウスを用いてクリックすると、管理コンピュータ１０は、インストールに係る動作を終了させるように制御する。
【００２８】
以上のように、プリント基板への電子部品の装着に係る種々のソフトウエアを格納するＣＤがセットされると、このＣＤに格納されたソフトウエアのバージョンと既にインストールされて格納したソフトウエアのバージョンとを比較して、そのソフトウエアのバージョンが異なる場合には異なることがわかるように、管理コンピュータ１０の表示装置１０Ａにソフトウエアの名称の色彩で表示させたが、この色彩に限らず、他の手段・方法、例えば異形状のマークを付したり、文字の太さを異ならせて表示させてもよい。
【００２９】
また、プリント基板への電子部品の装着に係る種々のソフトウエアを格納するＣＤがセットされると、このＣＤに格納されたソフトウエアがライセンスを受けてインストールされて格納したソフトウエアであるかを判断して、そのソフトウエアが既にライセンスを受けたものでない場合にはその旨がわかるように、管理コンピュータ１０の表示装置１０Ａにソフトウエアの名称の色彩で表示させたが、この色彩に限らず、他の手段・方法、例えば異形状のマークを付したり、文字の太さを異ならせて表示させてもよい。
【００３０】
なお、電子部品装着装置に内蔵されてＣＰＵ、ＲＡＭ及びＲＯＭ等を備え、管理コンピュータと同じ機能を有した制御装置に記録媒体を介してソフトウエアをインストールするときに、上記実施例と同様に、備えられた表示装置にバージョン及びライセンスの状態を表示させて、夫々の状態が確認できるようにしてもよい。
【００３１】
以上のように本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００３２】
【図１】管理システムの概略構成図である。
【図２】インストールに係るフローチャート図である。
【図３】管理コンピュータの表示装置の表示画面を示す図である。
【符号の説明】
【００３３】
５Ａ、５Ｂ    電子部品装着装置
１０          管理コンピュータ
１０Ａ        表示装置
２０          インストールスイッチ部
【図１】
0004995691.tif 000002
【図２】
0004995691.tif 000003
【図３】
0004995691.tif 000004